(57)【要約】【課題】本発明は、光ファイバユニット内の光ファイバ単心線を複数本一括接続する際における作業性を向上することを目的とする。【解決手段】本発明に係る光ファイバユニットは、複数本の光ファイバ単心線１１を集合させてバンドル紐２０で巻きまわした光ファイバユニットにおいて、複数本の光ファイバ単心線１１は、それぞれがバンドル紐２０に接するような断面形状に整列され、かつそれぞれがバンドル紐２０に接する点でバンドル紐２０に接着又は粘着されていることを特徴とする。【選択図】図１
2010026196.tif 000002
【特許請求の範囲】
【請求項１】
複数本の光ファイバ単心線と、
前記複数本の光ファイバ単心線を束ねるバンドル紐と、を備え、
それぞれの前記光ファイバ単心線は、所定の順番かつ間隔で前記バンドル紐に接着又は粘着されていることを特徴とする光ファイバユニット。
【請求項２】
それぞれの前記光ファイバ単心線は、前記光ファイバ単心線の長手方向が前記バンドル紐の長手方向に対して所定の角度で前記バンドル紐に接着又は粘着されていることを特徴とする請求項１に記載の光ファイバユニット。
【請求項３】
前記バンドル紐は、前記複数本の光ファイバ単心線の周囲にらせん状に巻きまわされていることを特徴とする請求項１又は２に記載の光ファイバユニット。
【請求項４】
前記バンドル紐は、前記複数本の光ファイバ単心線の周囲に渦巻状に巻きまわされていることを特徴とする請求項１又は２に記載の光ファイバユニット。
【請求項５】
前記バンドル紐のうちそれぞれの前記光ファイバ単心線が接着又は粘着されている部分の中間に、前記バンドル紐の切取線が設けられていることを特徴とする請求項１から４のいずれかに記載の光ファイバユニット。
【発明の詳細な説明】
【技術分野】
【０００１】
本発明は、複数本の光ファイバ単心線を集合した光ファイバユニットに関し、特に接続作業を簡素化するための光ファイバユニットに関する。
【背景技術】
【０００２】
心線使用率の向上のため、従来から複数本の光ファイバ単心線を集合した光ファイバケーブルが提案されている。光ファイバケーブルの中には、取り扱い性、識別性を向上させるために複数本の光ファイバ単心線の周囲に識別のために染色された糸やプラスチックテープなどのバンドル紐を巻きまわして形成した光ファイバユニットが内包されている（例えば、特許文献１及び２参照。）。図１０に、従来の光ファイバユニットの一例を示す。複数本の光ファイバ単心線１１を集合した光ファイバユニットがバンドル紐１２０で束ねられている。各光ファイバ単心線１１にも、心線番号を識別するための色等が付されていた。
【０００３】
光ファイバユニット内の光ファイバ単心線を複数本一括接続する場合は、複数本の光ファイバ単心線を配色などで心線番号を決めて横並びに整列集合させ、この状態を保持しながら接続用のファイバホルダ治具にセットして接続する。
【０００４】
このとき、まず決められた心線番号の光ファイバ単心線を光ファイバユニットから選定して光ファイバ把持ホルダに順番に整列する必要がある。また、２重被覆が施された径の異なる光ファイバ単心線を一括接続するためには各光ファイバ単心線の心線ピッチを揃える必要があり、事前に太い径の単心線の外側外皮を光ファイバ単心線毎に一定長除去し特定の心線径に合わせる必要がある（例えば、特許文献３参照。）。
【特許文献１】特開２００３−３０２５６０号公報
【特許文献２】特開２００７−１０９１７号公報
【特許文献３】特開平８−２６２２５７号公報
【発明の開示】
【発明が解決しようとする課題】
【０００５】
光ファイバユニットを集合した光ファイバケーブルは、光ファイバテープを集合したケーブルと比較すると、母数が増えるため心線を選定する作業、また選定した心線の外皮を特定長除去し順番に並べる作業が加わるので、作業が煩雑であった。また、光ファイバ単心線を多数集合した光ファイバユニットは複数本一括接続する際の作業性が良好でなく導入されにくかった。
【０００６】
そこで、本発明は、光ファイバユニット内の光ファイバ単心線を複数本一括接続する際における作業性を向上することを目的とする。
【課題を解決するための手段】
【０００７】
上記課題を解決するために、本発明に係る光ファイバユニットは、複数本の光ファイバ単心線を集合させてバンドル紐で巻きまわした光ファイバユニットにおいて、複数本の光ファイバ単心線は、それぞれがバンドル紐に接するような断面形状に整列され、かつそれぞれがバンドル紐に接する点でバンドル紐に接着又は粘着されていることを特徴とする。
【０００８】
具体的には、本発明に係る光ファイバユニットは、複数本の光ファイバ単心線と、前記複数本の光ファイバ単心線を束ねるバンドル紐と、を備え、それぞれの前記光ファイバ単心線は、所定の順番かつ間隔で前記バンドル紐に接着又は粘着されていることを特徴とする。
【０００９】
所定の順番で決められる所定の位置でバンドル紐を切断し展開することによって、複数本の光ファイバ単心線を所定の順番かつ一定の間隔で面的に整列させることができるので、光ファイバを接続する際の選定および配列の手間を省くことが可能となる。これにより、ファイバユニット内の単心線を複数本一括接続する際における作業性を向上することができる。
【００１０】
本発明に係る光ファイバユニットでは、それぞれの前記光ファイバ単心線は、前記光ファイバ単心線の長手方向が前記バンドル紐の長手方向に対して所定の角度で前記バンドル紐に接着又は粘着されていることが好ましい。
所定の角度であることで、バンドル紐を切断した際に複数本の光ファイバ単心線を一定間隔に並べることができる。
【００１１】
本発明に係る光ファイバユニットでは、前記バンドル紐は、前記複数本の光ファイバ単心線の周囲にらせん状に巻きまわされていることが好ましい。
らせん状のバンドル紐が複数本の光ファイバ単心線を束ねるので、バンドル紐を切断すれば容易に複数本の光ファイバ単心線を平面状に並べることができる。これにより、光ファイバユニットの被覆を解いて複数本の光ファイバ単心線を並べる作業を軽減することができる。
【００１２】
本発明に係る光ファイバユニットでは、前記バンドル紐は、前記複数本の光ファイバ単心線の周囲に渦巻状に巻きまわされていることが好ましい。
光ファイバユニットの中心部に空隙がなくなるので、光ファイバ単心線を密に集合させることができる。これにより、光ファイバ単心線が解けにくくなる。
【００１３】
本発明に係る光ファイバユニットでは、前記バンドル紐のうちそれぞれの前記光ファイバ単心線が接着又は粘着されている部分の中間に、前記バンドル紐の切取線が設けられていることが好ましい。
切取線に沿ってバンドル紐を切断すれば、光ファイバ単心線が所定の順番に配列している状態となる。そのため、順番に並べる作業を省略することができる。
【発明の効果】
【００１４】
本発明によれば、ファイバユニット内の単心線を複数本一括接続する際における作業性を向上することができる。
【発明を実施するための最良の形態】
【００１５】
添付の図面を参照して本発明の実施の形態を説明する。以下に説明する実施の形態は本発明の構成の例であり、本発明は、以下の実施の形態に制限されるものではない。
図１は、本実施形態に係る光ファイバユニットの構成概略図であり、（ａ）は断面図、（ｂ）は側面図を示す。本実施形態に係る光ファイバユニットは、複数本の光ファイバ単心線１１と、複数本の光ファイバ単心線１１を束ねるバンドル紐２０と、を備える。複数本の光ファイバ単心線１１を集合させてバンドル紐２０で巻きまわしている。
【００１６】
光ファイバ単心線１１の数は限定しない。例えば既存の光ファイバテープと同数の４本又は８本である。また、光ファイバ単心線１１が解けにくくなるように、光ファイバユニットの断面の中央に心棒を設ける、もしくは配列を工夫することが好ましい。
【００１７】
それぞれの光ファイバ単心線１１は、所定の順番かつ間隔でバンドル紐２０に接着又は粘着されている。接着又は粘着することで、所望の位置でバンドル紐２０を切断し展開することによって、複数本の光ファイバ単心線１１を所定の順番かつ一定の間隔で面的に整列させることができ、光ファイバ単心線１１を接続する際の選定および配列の手間を省くことが可能となる。接着又は粘着のいずれでもよいが、バンドル紐２０から剥離させることのない光ファイバ単心線１１であればバンドル紐２０に接着して、光ファイバ単心線１１同士の間隔を固定することが好ましい。
【００１８】
複数本の光ファイバ単心線１１がバンドル紐２０に接着又は粘着される所定の順番及び間隔は、光ファイバユニットの仕様で定められた順番や間隔であることが好ましい。例えば、心線番号の順である。接続作業の安全や安心のため、従来のとおり各光ファイバ単心線１１の配色を維持していることが好ましい。
【００１９】
図２から図５は、本実施形態に係る光ファイバユニットの別形態であり、（ａ）は断面図、（ｂ）は側面図を示す。図２に示す光ファイバユニットは、８本の光ファイバ単心線１１を心棒なしで輪状に配置した場合を示す。図３に示す光ファイバユニットは、８本の光ファイバ単心線１１を心棒の周囲に輪状に配置した場合を示す。図４に示す光ファイバユニットは、８本の光ファイバ単心線１１を２×４列に配置した場合を示す。図５に示す光ファイバユニットは、バンドル紐２０が８本の光ファイバ単心線１１の周囲に渦巻状に巻きまわされている場合を示す。図２（ｂ）から図５（ｂ）に示す側面図において、理解の容易のために、１本の光ファイバ単心線１１のみに符号を付し、他の光ファイバ単心線１１の符号を省略した。
【００２０】
図３に示すように心棒１２があれば、光ファイバ単心線１１が解けにくく、折り曲げに対する強度を補強することができる。また、図１及び図４に示すように光ファイバ単心線１１が２行２列及び２行４列等に整列した形状にすれば、光ファイバユニットの余長を収容する際の光ファイバ単心線１１のねじれが容易に防げる。
【００２１】
複数本の光ファイバ単心線１１がバンドル紐２０に接着又は粘着される所定の順番及び間隔は、光コネクタの配列に合わせてもよい。例えば、図４に示す光ファイバ単心線１１を、２×４列の８ピンの光コネクタの配置に合わせる。これにより、バンドル紐２０を解いて光ファイバ単心線１１の終端処理を行えば、順番を改めて確認することなくコネクタに取り付けることができる。
【００２２】
光ファイバ単心線１１の束ね方は限定しない。例えば、図１に示すように、複数本の光ファイバ単心線１１を集合配置とする。また、図５に示すように、バンドル紐２０を複数本の光ファイバ単心線１１の周囲に渦巻状に巻きまわし、複数本の光ファイバ単心線１１を渦巻状に束ねてもよい。光ファイバ単心線１１同士を間隙なく束ねれば、各光ファイバ単心線１１が解けることがなく扱い易い。バンドル紐２０は、図１から図４に示すように複数本の光ファイバ単心線１１の周囲にらせん状に巻きまわされていてもよいし、図５に示すように複数本の光ファイバ単心線１１の長手方向に対して一定間隔で巻きまわされていてもよい。
【００２３】
図６は、バンドル紐の一例であり、（ａ）はバンドル紐の切断前、（ｂ）はバンドル紐の切断後を示す。切断させたい光ファイバ単心線１１間の位置、角度に切断しやすいよう、バンドル紐２０のうち光ファイバ単心線１１が接着又は粘着されている部分の中間に、バンドル紐２０の切取線が設けられていることが好ましい。切取線２１は、ミシン目のようにバンドル紐が切断し易くなっていることが好ましい。切取線２１に沿ってバンドル紐２０を切断すれば、光ファイバ単心線１１が所定の順番に所定の間隔で配列している状態となるので、作業効率を向上することができる。
【００２４】
切取線２１は、バンドル紐２０の複数本の光ファイバ単心線１１への巻き付け角度による。例えば、図１から図４に示すような複数本の光ファイバ単心線１１にらせん状に巻きまわされるバンドル紐２０であれば、切取線２１は図６（ａ）に示すようにバンドル紐２０の長手方向に対して斜め方向に横断する。
【００２５】
図７は、光ファイバユニットの一例であり、（ａ）はバンドル紐切断前の断面図、（ｂ）はバンドル紐切断前の側面図、（ｃ）はバンドル紐切断後の断面図、（ｄ）はバンドル紐切断後の側面図、（ｅ）は４心ずつ２ユニットに分割後の断面図、（ｆ）は４心ずつ２ユニットに分割後の側面図を示す。図８は、光ファイバユニットの別形態であり、（ａ）はバンドル紐切断前の断面図、（ｂ）はバンドル紐切断前の側面図、（ｃ）はバンドル紐切断後の断面図、（ｄ）はバンドル紐切断後の側面図を示す。図７（ｂ）、図７（ｄ）、図７（ｆ）、図８（ｂ）及び図８（ｄ）に示す側面図において、理解の容易のために、１本の光ファイバ単心線１１のみに符号を付し、他の光ファイバ単心線１１の符号を省略した。それぞれの光ファイバ単心線１１は、光ファイバ単心線１１の長手方向がバンドル紐２０の長手方向に対して所定の角度でバンドル紐２０に接着又は粘着されている。これにより、バンドル紐２０を特定の箇所で切断すると、光ファイバ単心線１１が所定の順番かつ間隔で面的に整列し、光ファイバ単心線１１を接続するときに必要となる心線番号の選定及び配列の手間が省ける。
【００２６】
図９は、心線径変換ツールの一例であり、（ａ）は心線径変換前の斜視図、（ｂ）は心線径変換前の側面図、（ｃ）は心線径変換後の斜視図、（ｄ）は心線径変換後の側面図を示す。心線径変換ツール３２は、既存の心線径変換ツールを複数個横に並べたような治具である。光ファイバ把持ホルダ３１及び心線径変換ツール３２の心線ピッチは、光ファイバ単心線１１の外径と略同一に設定されている。バンドル紐２０が光ファイバ単心線１１同士を長手方向に固定するため、複数の光ファイバ単心線１１を所定の順番かつ間隔で容易に光ファイバ把持ホルダ３１に把持させることができる。心線径変換ツール３２は、光ファイバ把持ホルダ３１に把持されている複数の光ファイバ単心線１１の外側外皮を、一括で、一定長除去する。これにより、複数の光ファイバ単心線１１の外側外皮を一括で特定の心線径に合わせることができる。
【産業上の利用可能性】
【００２７】
本発明は、光ファイバケーブルに内包される光ファイバユニットに用いることができる。
【図面の簡単な説明】
【００２８】
【図１】本実施形態に係る光ファイバユニットの一例であり、（ａ）は断面図、（ｂ）は側面図を示す。
【図２】本実施形態に係る光ファイバユニットの別形態であり、（ａ）は断面図、（ｂ）は側面図を示す。
【図３】本実施形態に係る光ファイバユニットの別形態であり、（ａ）は断面図、（ｂ）は側面図を示す。
【図４】本実施形態に係る光ファイバユニットの別形態であり、（ａ）は断面図、（ｂ）は側面図を示す。
【図５】本実施形態に係る光ファイバユニットの別形態であり、（ａ）は断面図、（ｂ）は側面図を示す。
【図６】バンドル紐の一例であり、（ａ）はバンドル紐の切断前、（ｂ）はバンドル紐の切断後を示す。
【図７】本実施形態に係る光ファイバユニットの一例であり、（ａ）はバンドル紐切断前の断面図、（ｂ）はバンドル紐切断前の側面図、（ｃ）はバンドル紐切断後の断面図、（ｄ）はバンドル紐切断後の側面図、（ｅ）は４心ずつ２ユニットに分割後の断面図、（ｆ）は４心ずつ２ユニットに分割後の側面図を示す。
【図８】本実施形態に係る光ファイバユニットの別形態であり、（ａ）はバンドル紐切断前の断面図、（ｂ）はバンドル紐切断前の側面図、（ｃ）はバンドル紐切断後の断面図、（ｄ）はバンドル紐切断後の側面図を示す。
【図９】心線径変換ツールの一例であり、（ａ）は心線径変換前の斜視図、（ｂ）は心線径変換前の側面図、（ｃ）は心線径変換後の斜視図、（ｄ）は心線径変換後の側面図を示す。
【図１０】従来の光ファイバユニットの一例である。
【符号の説明】
【００２９】
１１  光ファイバ単心線
１２  心棒
２０、１２０  バンドル紐
２１  切取線
３１  光ファイバ把持ホルダ
３２  心線径変換ツール
【図１】
2010026196.tif 000003
【図２】
2010026196.tif 000004
【図３】
2010026196.tif 000005
【図４】
2010026196.tif 000006
【図５】
2010026196.tif 000007
【図６】
2010026196.tif 000008
【図７】
2010026196.tif 000009
【図８】
2010026196.tif 000010
【図９】
2010026196.tif 000011
【図１０】
2010026196.tif 000012